(57)【要約】【課題】絶縁平面上のフラット導体と電気的に接続された複数のコネクタ接続端子の嵌合部をコネクタハウジングの端子収容室に挿入してなるコネクタ接続端子とコネクタハウジングの接続構造に関して接続の作業、絶縁平面の加工が容易でしかもコストの安いものを提供することを目的とする。【解決手段】絶縁平面上のフラット導体と電気的に接続された複数のコネクタ接続端子３，３´の嵌合部５，５´をコネクタハウジング４の端子収容室６に挿入してなるコネクタ接続端子とコネクタハウジングの接続構造において、前記複数のコネクタ接続端子３，３´は前記絶縁平面に長手に配置され、前記絶縁平面を折り曲げることにより前記複数のコネクタ接続端子３，３´のそれぞれの嵌合部５，５´を同一方向に向けてコネクタハウジング４の端子収容室６に挿入されていることを特徴とする。【選択図】  図１
2005158382.tif 000002
【特許請求の範囲】
【請求項１】
絶縁平面上のフラット導体と電気的に接続された複数のコネクタ接続端子の嵌合部をコネクタハウジングの端子収容室に挿入してなるコネクタ接続端子とコネクタハウジングの接続構造において、前記複数のコネクタ接続端子は前記絶縁平面上に長手に配置され、前記絶縁平面を折り曲げることにより前記複数のコネクタ接続端子のそれぞれの嵌合部を同一方向に向けてコネクタハウジングの端子収容室に挿入されていることを特徴とするコネクタ接続端子とコネクタハウジングの接続構造。
【請求項２】
絶縁平面上のフラット導体と接続された複数のコネクタ接続端子の嵌合部をコネクタハウジングの端子収容室に挿入してなるコネクタ接続端子とコネクタハウジングの接続構造において、前記複数のコネクタ接続端子は前記絶縁平面の表面と裏面のそれぞれに該コネクタ接続端子の嵌合部を互いに反対方向に向けて配置され、前記絶縁平面を折り曲げることにより前記複数のコネクタ接続端子のそれぞれの嵌合部を同一方向に向けてコネクタハウジングの端子収容室に挿入されていることを特徴とするコネクタ接続端子とコネクタハウジングの接続構造。
【請求項３】
前記コネクタ接続端子は、前記絶縁平面の切り込み部に接続されていることを特徴とする請求項１又は請求項２記載のコネクタ接続端子とコネクタハウジングの接続構造。
【発明の詳細な説明】
【技術分野】
【０００１】
本発明は、絶縁平面上のフラット導体と電気的に接続された複数のコネクタ接続端子の嵌合部をコネクタハウジングの端子収容室に挿入してなるコネクタ接続端子とコネクタハウジングの接続構造に関するものである。
【背景技術】
【０００２】
最近の電子機器の設計においては電子機器のコンパクト化、電子機器内の高密度実装化が要求されている。この要求に応えるためにＦＰＣ （Ｆｌｅｘｉｂｌｅ Ｐｒｉｎｔｅｄ Ｃｉｒｃｕｉｔ）基板、及びＦＦＣ（Ｆｌｅｘｉｂｌｅ Ｆｌａｔ Ｃａｂｌｅ）が多用されるようになってきている。
【０００３】
ＦＰＣ基板とは、ポリイミド、ポリエチレンナフタレート、ポリエチレンテレフタレート等からなるフィルム状の絶縁平面に回路導体を構成するフラット導体がプリントされたものであり、ＦＦＣとはポリエチレンテレフタレートなどの絶縁材料を所定のピッチで平行に配置された銅やアルミニュウム等のフラット導体に施して絶縁被覆した（当該絶縁被膜は絶縁平面となっている）ものである。
【０００４】
ここで、ＦＰＣ基板又はＦＦＣを用いて外部機器と信号や電力のやりとりをするためには、コネクタ接続端子が接続されたＦＰＣ基板やＦＦＣの当該コネクタ接続端子の嵌合部をコネクタハウジング（当該外部機器と電気的に接続されている。）の端子収容室に挿入してコネクタ接続端子とコネクタハウジングの接続構造を構成する必要がある。
【０００５】
その具体的な例については特許文献１に記載されているが、これを図１７を参照して説明する。まず、図１７に示したように、ＦＦＣのフラット導体１２に折り返しが無い状態でコネクタ接続端子４を並列でかつ同一方向に接続し、しかる後に、所定のフラット導体１３に限り任意の箇所例えば折り返し部１４，１４´でフラット導体１３を折り返すものである。これにより、コネクタ接続端子３の表裏の向きが他の折り返さないフラット導体１３に接続されたコネクタ接続端子３の向きと同じにすることができる。こうして整形されたフラット導体１２，１３に接続されたコネクタ接続端子３の嵌合部５を、矢印Ａ方向に沿って移動して、コネクタハウジング４の複数段の端子収容室６に収容することによりコネクタ接続端子とコネクタハウジングの接続構造を構成される。
【０００６】
その他に、特許文献２に記載されているものについて、図１８を参照して説明する。
図１８は、縦向きのコネクタハウジング４内に縦方向に並設された各端子収容室６に、ＦＦＣ１６，１６´のフラット導体１２と電気的に接続された２つのコネクタ接続端子３,３´が収容され、図示しない係止部材で抜止めされてコネクタが形成されたコネクタ付きＦＦＣを示すものである。
【０００７】
図１８に示したように、コネクタハウジング４内に端子収容室６が縦に存在する場合には、予めＦＦＣ１６，１６´が独立して動けるように、隣接するフラット導体１２，１２´間のフラット絶縁被覆に切込み部１５を入れ、一方のＦＦＣ１６をひねって他方のＦＦＣ部１６´の上に存在させ、上下の各端子収容室６に、コネクタ接続端子３、３´の嵌合部５，５´が内蔵されるように収容するコネクタ接続端子とコネクタハウジングの接続構造を構成する。
【０００８】
【特許文献１】特開平１１−６６９７０号公報
【特許文献２】特開２００３−２４９２８６号公報
【発明の開示】
【発明が解決しようとする課題】
【０００９】
図１７の特許文献１に記載されているＦＦＣにコネクタ接続端子を接続したものを利用してコネクタ接続端子とコネクタハウジングの接続構造を構成するものでは、予めＦＦＣを所定の形状に加工整形しなければならないため、コストが上がってしまうという問題がある。このことは、ＦＦＣをＦＰＣ基板に置き換えたコネクタが接続されたＦＰＣ基板を利用してコネクタ接続端子とコネクタハウジングの接続構造を構成する場合であっても同様である。
【００１０】
さらに、図１８の特許文献２に記載されているコネクタコネクタが接続されたＦＦＣ１３を利用してコネクタ接続端子とコネクタハウジングの接続構造を構成するものも、特許文献１に記載されているＦＦＣにコネクタ接続端子を接続する構成と同様に予めＦＦＣを所定の形状に加工整形しなければならないため、コストが上がってしまうという問題がある。さらに図１８に示したように下側と上側のＦＦＣ１６，１６´には、ひねりによる反力ｆがそれぞれ作用していて、切込み部１５の長さが短いほど、その反力ｆは大きくなってしまうという問題がある。
【００１１】
本発明は、絶縁平面上のフラット導体と電気的に接続された複数のコネクタ接続端子の嵌合部をコネクタハウジングの端子収容室に挿入してなるコネクタ接続端子とコネクタハウジングの接続構造に関して接続の作業、絶縁平面の加工が容易でしかもコストの安いものを提供することを目的とする。
【課題を解決するための手段】
【００１２】
請求項１に係る発明は、絶縁平面上のフラット導体と電気的に接続された複数のコネクタ接続端子の嵌合部をコネクタハウジングの端子収容室に挿入してなるコネクタ接続端子とコネクタハウジングの接続構造において、前記複数のコネクタ接続端子は前記絶縁平面上に長手に配置され、前記絶縁平面を折り曲げることにより前記複数のコネクタ接続端子のそれぞれの嵌合部を同一方向に向けてコネクタハウジングの端子収容室に挿入されていることを特徴とする。
【００１３】
請求項２に係る発明は、絶縁平面上のフラット導体と接続された複数のコネクタ接続端子の嵌合部をコネクタハウジングの端子収容室に挿入してなるコネクタ接続端子とコネクタハウジングの接続構造において、前記複数のコネクタ接続端子は前記絶縁平面の表面と裏面のそれぞれに該コネクタ接続端子の嵌合部を互いに反対方向に向けて配置され、前記絶縁平面を折り曲げることにより前記複数のコネクタ接続端子のそれぞれの嵌合部を同一方向に向けてコネクタハウジングの端子収容室に挿入されていることを特徴とする。
【００１４】
請求項３に係る発明は、請求項１又は請求項２記載のコネクタ接続端子とコネクタハウジングの接続構造において、前記コネクタ接続端子は、前記絶縁平面の切り込み部に接続されていることを特徴とする。
【発明の効果】
【００１５】
請求項１記載のコネクタ接続端子とコネクタハウジングの接続構造では、複数のコネクタ接続端子が長手に配置された絶縁平面を折り曲げることにより前記複数のコネクタ接続端子のそれぞれの嵌合部を同一方向に向けてコネクタハウジングの端子収容室に挿入することにより接続構造を構成している。そのため、絶縁平面の特別な加工を要せず接続の作業も容易となるのでコストも安くなる。
【００１６】
請求項２記載のコネクタ接続端子とコネクタハウジングの接続構造では、複数のコネクタ接続端子が絶縁平面の表面と裏面のそれぞれにコネクタ接続端子の嵌合部を互いに反対方向に向けて配置され、その絶縁平面を折り曲げることにより前記複数のコネクタ接続端子のそれぞれの嵌合部を同一方向に向けてコネクタハウジングの端子収容室に挿入することにより接続構造を構成している。そのため、接続に必要な絶縁平面の面積を小さくしつつ、複数のコネクタ接続端子の嵌合部を同一方向に向けてコネクタハウジングの端子収容室に挿入することができる。また、絶縁平面の特別な加工を要せず接続の作業も容易であるのでコストも安くなる。
【００１７】
請求項３記載のコネクタ接続端子とコネクタハウジングの接続構造では、コネクタ接続端子の端子板状部は前記絶縁平面の切り込み部に接続されている。そのため、絶縁平面の切り込み部もコネクタ接続端子と同じ方向に向く。そのため、複数のコネクタ接続端子の嵌合部を同一方向に向けてコネクタハウジングの端子収容室に挿入する際に、切り込み部もコネクタ接続端子と同じ方向に向くようになる。これにより、絶縁平面の面積を一層小さくすることができ、コストを一層下げることができる。また、切り込み部を形成する加工も容易である。
【発明を実施するための最良の形態】
【００１８】
本発明に係るコネクタ接続端子とコネクタハウジングの接続構造は、大きく四つの形態からなる。それぞれの形態について、順次説明する。
以下の四つの実施の形態はすべて、ポリイミド、ポリエチレンナフタレート、ポリエチレンテレフタレート等からなるフィルム状の絶縁平面に回路導体を構成するフラット導体がプリントされたＦＰＣ基板、又は、ポリエチレンテレフタレートなどの絶縁材料からなる絶縁被覆をなす絶縁平面を所定のピッチで平行に配置された銅やアルミニュウム等のフラット導体に施したＦＦＣを利用している。また、以下で説明するように、四つの実施の形態に係るコネクタ接続端子とコネクタハウジングの接続構造は絶縁平面上にフラット導体と電気的に接続されている複数のコネクタ接続端子が接続されたコネクタ付ＦＰＣ基板、又は、コネクタ付ＦＦＣを利用している。
【００１９】
図１（ａ）、（ｂ）は、第一の形態に係るコネクタ接続端子とコネクタハウジングの接続構造で使用されるコネクタ付ＦＰＣ基板１を示すものである。
このコネクタ付ＦＰＣ基板１は、２つのコネクタ接続端子３，３´がその端子板状部９，９´でもってＦＰＣ基板２にプリントされた回路導体７（フラット導体）の接続点８，８´に接続されている。また、２つのコネクタ接続端子３，３´は絶縁平面をなすＦＰＣ基板２上に長手に配置されている。なお、コネクタ接続端子３，３´はＦＰＣ基板２の一方の面にのみ接続されている。
【００２０】
接続は、図２（ａ）に示したような、端子板状部９からクリンプ片１０が立設されたコネクタ接続端子３を用いて、図２（ｂ）に示したように回路導体７の接続点８にコネクタ接続端子３の端子板状部９を重ね、その重なった部分において回路導体７にコネクタ接続端子３のクリンプ片１０を貫通させた後、貫通したコネクタ接続端子３のクリンプ片１０の先端部を曲成して加締めることにより行なう。
【００２１】
ここで、コネクタ付ＦＰＣ基板１を用いて外部機器とで信号や電力のやりとりをするためには、コネクタ接続端子３，３´の嵌合部５，５´を図３に示したようなコネクタハウジング４（当該外部機器と電気的に接続されている。）の端子収容室６に挿入してコネクタ接続端子とコネクタハウジングの接続構造を構成する。
【００２２】
すなわち、図４（ａ）に示したように、ＦＰＣ基板２を折り曲げて折り曲げ部１１を形成し、２つのコネクタ接続端子３，３´の嵌合部５，５´を同一方向に向けて、図４（ｂ）に示すように、２つのコネクタ接続端子３，３´の嵌合部５，５´をコネクタハウジング４の端子収容室６に挿入してコネクタ接続端子とコネクタハウジングの接続構造を構成する。
【００２３】
図５（ａ）、（ｂ）は、第二の形態に係るコネクタ接続端子とコネクタハウジングの接続構造で使用されるコネクタ付ＦＰＣ基板１を示すものである。
このコネクタ付ＦＰＣ基板１も、２つのコネクタ接続端子３，３´がその端子板状部９，９´でもってＦＰＣ基板２にプリントされた回路導体７（フラット導体）の接続点８，８´で接続されている。
【００２４】
第二の形態に係るコネクタ接続端子とコネクタハウジングの接続構造で使用されるコネクタ付ＦＰＣ基板１の特徴は、図１（ａ）、（ｂ）に示した第一の形態に係るコネクタ接続端子とコネクタハウジングの接続構造で使用されるコネクタ付ＦＰＣ基板１と同様に、２つのコネクタ接続端子３，３´が絶縁平面をなすＦＰＣ基板２上に長手に配置されているとともに、図５（ａ）、（ｂ）に示したようにコネクタ接続端子３，３´が互いに隙間を生じないように配置してＦＰＣ基板２上に一直線に接続されていることである。なお、コネクタ接続端子３，３´はＦＰＣ基板２の一方の面にのみ接続されている。
【００２５】
接続は、図２（ａ）に示したような、端子板状部９からクリンプ片１０が立設されたコネクタ接続端子３を用いて、図２（ｂ）に示したように回路導体７の接続点８，８´にコネクタ接続端子３の端子板状部９を重ね、その重なった部分において回路導体７にコネクタ接続端子３，３´のクリンプ片１０を貫通させた後、貫通したコネクタ接続端子３のクリンプ片１０の先端部を曲成して加締めることにより行なう。
【００２６】
ここで、コネクタ付ＦＰＣ基板１を用いて外部機器とで信号や電力のやりとりをするためには、コネクタ接続端子３，３´の嵌合部５，５´を図３に示したようなコネクタハウジング４（当該外部機器と電気的に接続されている。）の端子収容室６に挿入してコネクタ接続端子とコネクタハウジングの接続構造を構成する。
【００２７】
まず、同一方向に向いた２つのコネクタ接続端子３，３´のそれぞれの嵌合部５，５´が同一の方向となるようにＦＰＣ基板２を曲げる。すなわち、図５においてＦＰＣ基板２に接続されている２つのコネクタ接続端子３及びコネクタ接続端子３´のうち、ＦＰＣ基板２の端部に近いコネクタ接続端子３が引っ込むようにＦＰＣ基板２を曲げ、折り曲げ部１１を形成する。
【００２８】
このようにすることで、ＦＰＣ基板２の端部に近いコネクタ接続端子３が折り曲がったＦＰＣ基板２の折り曲げ部１１に包み込まれるようになり、引っ込むので、図６（ａ）のように、コネクタ接続端子３，３´のそれぞれの嵌合部５，５´が同一の方向を向くようになる。この状態で、図６（ｂ）に示したようにコネクタ接続端子３，３´の嵌合部５，５´をコネクタハウジング４の端子収容室６に挿入してコネクタ接続端子とコネクタハウジングの接続構造を構成することができる。
【００２９】
図７（ａ）、（ｂ）は、第三の形態に係るコネクタ接続端子とコネクタハウジングの接続構造で使用されるコネクタ付ＦＰＣ基板１を示すものである。
このコネクタ付ＦＰＣ基板１は、２つのコネクタ接続端子３，３´がその端子板状部９，９´でもって絶縁平面をなすＦＰＣ基板２にプリントされた回路導体７（フラット導体）の接続点８，８´に接続されている。
【００３０】
第三の形態に係るコネクタ接続端子とコネクタハウジングの接続構造で使用されるコネクタ付ＦＰＣ基板１の特徴は、図７（ａ）、（ｂ）に示したようにコネクタ接続端子３，３´が、ＦＰＣ基板２の表面と裏面のそれぞれにコネクタ接続端子３，３´の嵌合部５，５´を互いに反対方向に向けて接続されていることである。
【００３１】
接続は、図２（ａ）に示したような、端子板状部９からクリンプ片１０が立設されたコネクタ接続端子３を用いて、図２（ｂ）に示したように回路導体７の接続点８，８´にコネクタ接続端子３の端子板状部９を重ね、その重なった部分において回路導体７にコネクタ接続端子３，３´のクリンプ片１０を貫通させた後、貫通したコネクタ接続端子３のクリンプ片１０の先端部を曲成して加締めることにより行なう。
【００３２】
コネクタ付ＦＰＣ基板１を用いて外部機器とで信号や電力のやりとりをするためには、コネクタ接続端子３，３´の嵌合部５，５´を図３に示したようなコネクタハウジング４（当該外部機器と電気的に接続されている。）の端子収容室６に挿入してコネクタ接続端子とコネクタハウジングの接続構造を構成する。
【００３３】
まず、図８（ａ）に示したように、コネクタ接続端子３，３´のそれぞれの嵌合部５，５´を同一方向に向ける。これを行なうためには、ＦＰＣ基板２の裏面に接続されたコネクタ接続端子３´の嵌合部５´を把持しＦＰＣ基板２を曲げてＦＰＣ基板２の裏面に接続されたコネクタ接続端子３´の嵌合部５´がコネクタ接続端子３の嵌合部５と同一方向に向くようにする。このようにすることで、図８（ａ）に示したように、折り曲げ部１１が形成され、接続点８，８´の部分が谷になるようにＦＰＣ基板２がＵ字形に曲がる。このとき、コネクタ接続端子３，３´の嵌合部５が同一方向に向くようになる。この状態で、図８（ｂ）に示したようにコネクタ接続端子３，３´の嵌合部５，５´をコネクタハウジング４の端子収容室６に挿入してコネクタ接続端子とコネクタハウジングの接続構造を構成することができる。
【００３４】
図９は、第四の形態に係るコネクタ接続端子とコネクタハウジングの接続構造で使用されるコネクタ付ＦＰＣ基板１を示すものである。このコネクタ付ＦＰＣ基板は、前述した第一、第二及び第三の形態に係るコネクタ接続端子とコネクタハウジングの接続構造で使用されたコネクタ付ＦＰＣ基板１を利用している。すなわち、図９（ａ）は図５に示した第二の形態（図１に示した第一の形態であっても良い）に係るコネクタ接続端子とコネクタハウジングの接続構造で使用されたコネクタ付ＦＰＣ基板１を利用し、図９（ｂ）は図７に示した第三の形態に係るコネクタ接続端子とコネクタハウジングの接続構造で使用されたコネクタ付ＦＰＣ基板１を利用した第三の形態に係るコネクタ接続端子とコネクタハウジングの接続構造で使用されるコネクタ付ＦＰＣ基板１である。
【００３５】
第四の形態に係るコネクタ接続端子とコネクタハウジングの接続構造で使用されるコネクタ付ＦＰＣ基板１の特徴は、２つのコネクタ接続端子３，３´のうち絶縁平面をなすＦＰＣ基板２の切り込み部１５に接続されたコネクタ接続端子３を含んでいる。このようにすることで、次のような利点がある。
【００３６】
まず、図９（ａ）に示した第四の形態に係るコネクタ接続端子とコネクタハウジングの接続構造で使用されるコネクタ付ＦＰＣ基板１では、図１０（ａ）のように、絶縁平面の切り込み部１５に接続されたコネクタ接続端子３´の嵌合部５をコネクタハウジング４の端子収容室６の方向に向ける際において、ＦＰＣ基板２の切り込み部１５もコネクタ接続端子３´の動きに追随する。そのため、この際において、ＦＰＣ基板２に折り曲げ部１１（図６（ａ）参照）が発生せず、折り曲げ部１１を発生させるために必要な面積のＦＰＣ基板２がほとんど不要となる。
【００３７】
図１０（ａ）に示したように、コネクタ接続端子３´の嵌合部５´がコネクタ接続端子３の嵌合部５と同一の方向を向いた状態にすると、図１０（ｂ）に示したようにコネクタ接続端子３，３´の嵌合部５，５´をコネクタハウジング４の端子収容室６に挿入してコネクタ接続端子とコネクタハウジングの接続構造を構成することができる。
【００３８】
また、図９（ｂ）に示した第四の形態に係るコネクタ付ＦＰＣ基板１では、図１１（ａ）のように、絶縁平面の切り込み部１５に接続されたコネクタ接続端子３´の嵌合部５をコネクタハウジング４の端子収容室６の方向に向ける際において、ＦＰＣ基板２の切り込み部１５もコネクタ接続端子３´の動きに追随する。そのため、この際においてＦＰＣ基板２に折り曲げ部１１（図８（ａ）参照）が発生せず、折り曲げ部１１を発生させるために必要な面積のＦＰＣ基板２がほとんど不要となる。
【００３９】
図１１（ａ）に示したように、コネクタ接続端子３´の嵌合部５´がコネクタ接続端子３の嵌合部５と同一の方向を向いた状態にすると、図１１（ｂ）に示したようにコネクタ接続端子３，３´の嵌合部５，５´をコネクタハウジング４の端子収容室６に挿入してコネクタ接続端子とコネクタハウジングの接続構造を構成することができる。
【００４０】
第一〜第四の形態に係るコネクタ接続端子とコネクタハウジングの接続構造で使用されるコネクタ付ＦＰＣ基板では、複数のコネクタ接続端子が絶縁平面の長手に一列に配列して、絶縁平面に接続されていた。しかしながら、これらの形態に係るコネクタ付ＦＰＣ基板において、コネクタ接続端子を絶縁平面の長手に二列以上に配列してその絶縁平面に接続することも可能である。
【００４１】
例えば、第四の形態に係るコネクタ接続端子とコネクタハウジングの接続構造で使用されるコネクタ付ＦＰＣ基板において、コネクタ接続端子を絶縁平面の長手に二列以上に配置して絶縁平面に接続するものについて図１２を用いて説明する。図１２は、図９（ｂ）に示した第四の形態に係るコネクタ接続端子とコネクタハウジングの接続構造で使用されるコネクタ付ＦＰＣ基板１において、コネクタ接続端子３ａ、３ｂ、３ａ´、３ｂ´を、絶縁平面をなすＦＰＣ基板２の長手に二列に配列してそのＦＰＣ基板２に接続したものである。
【００４２】
ここで、接続するコネクタ接続端子３ａ、３ｂ、３ａ´、３ｂ´の大きさはそれぞれ異なっていても良い。すなわち、図１２に示したようにコネクタ接続端子３ａ、３ａ´は、コネクタ接続端子３ｂ、３ｂ´と大きさが異なる。そのような場合であっても、絶縁平面をなすＦＰＣ基板２の端部に接続されるコネクタ接続端子３ａ、３ｂの嵌合部５の先端の面が直線Ｌと一致するようにすれば良い。
【００４３】
そのようにすることで、図９（ｂ）に示したコネクタ付ＦＰＣ基板のコネクタ接続端子の嵌合部をコネクタハウジングの端子収容室に挿入して接続構造を構成する場合と同じ要領で、図１２に示したコネクタ付ＦＰＣ基板１を使用してコネクタ接続端子とコネクタハウジング（ここで使用するコネクタハウジングは図３で示したような端子収容室６が２段１列のものではなく、２段２列のものである。）の接続構造を構成することができる。
【００４４】
コネクタ付ＦＰＣ基板は、上記大きく四つの形態からなるが、そのＦＰＣ基板２をＦＦＣに代えてコネクタ付ＦＦＣとすることもできる。例えば、図１３に示したように、図１で示した第一の形態に係るコネクタ接続端子とコネクタハウジングの接続構造で使用されたコネクタ付ＦＰＣ基板１のＦＰＣ基板２をＦＦＣ１６に代えてコネクタ付ＦＦＣとすることもできる。  
【００４５】
すなわち、図１３で示したコネクタ付ＦＦＣは、ポリエチレンテレフタレートなどの絶縁材料からなる絶縁被覆をなす絶縁平面を所定のピッチで平行に配置された銅やアルミニュウム等のフラット導体に施したＦＦＣ１６を用いている。そして、このコネクタ付ＦＦＣは、２つのコネクタ接続端子３，３´がそのＦＦＣ１６のフラット導体１２，１３のうち一方のフラット導体１３に接続されている。また、２つのコネクタ接続端子３，３´は絶縁平面をなすＦＦＣ１６に長手に配置されている。
【００４６】
コネクタ接続端子３，３´のＦＦＣへの接続は、図２に示した手法と共通する。すなわち、フラット導体１２にコネクタ接続端子３の端子板状部９を重ね、その重なった部分において回路導体７にコネクタ接続端子３のクリンプ片１０を貫通させた後、貫通したコネクタ接続端子３のクリンプ片１０の先端部を曲成して加締めることにより行なう。
【００４７】
ここで、かかるコネクタ付ＦＦＣを用いて外部機器とで信号や電力のやりとりをするためには、コネクタ接続端子３，３´の嵌合部５，５´を図３に示したようなコネクタハウジング４（当該外部機器と電気的に接続されている。）の端子収容室６に挿入してコネクタ接続端子とコネクタハウジングの接続構造を構成することにより行なう。すなわち、図１に示したコネクタ付ＦＰＣ基板のコネクタ接続端子の嵌合部をコネクタハウジングの端子収容室に挿入して接続構造を構成する場合と同じ要領で、図１３に示したコネクタ付ＦＦＣを使用してコネクタ接続端子とコネクタハウジング（ここで使用するコネクタハウジングは図３で示したような端子収容室６が２段１列のものではなく、２段２列のものである。）の接続構造を構成することができる。
【００４８】
図１３で示したコネクタ付ＦＦＣは、図１で示した第一の形態に係るコネクタ接続端子とコネクタハウジングの接続構造で使用されたコネクタ付ＦＰＣ基板１のＦＰＣ基板２をＦＦＣ１６に代えたものであるが、図５で示した第二の形態に係るコネクタ接続端子とコネクタハウジングの接続構造で使用されたコネクタ付ＦＰＣ基板１、図７で示した第三の形態に係るコネクタ接続端子とコネクタハウジングの接続構造で使用されたコネクタ付ＦＰＣ基板１において、ＦＰＣ基板２をＦＦＣ１６に置き換えることももちろん可能である。
【００４９】
上記実施の形態においては、ＦＰＣ基板２又はＦＦＣ１６に必要なコネクタ接続端子３が最初から接続されているコネクタ付ＦＰＣ基板１又はコネクタ付ＦＦＣ１６を利用してコネクタ接続端子とコネクタハウジングの接続構造を構成していた。
【００５０】
しかしながら、以下説明するように、コネクタ接続端子とコネクタハウジングの接続構造を構成する工程において必要なコネクタ接続端子３を接続していく態様も可能である。この態様を行なうのにはまず、図１４のような回路導体７がパターニングされ、回路導体７と電気的に接続する接続点８，８´を備えたＦＰＣ基板２を用意する。
【００５１】
次に、図１４のＦＦＣ基板２の端にＦＰＣ基板２にパターニングされた回路導体７に電気的に接続し、間隔Ｌが狭くなるように近接して並んだ２つの接続点８，８´のうち、１つの接続点８に１つだけのコネクタ接続端子３の端子板状部９を接続する（図１５）。
【００５２】
接続は、図２（ａ）に示したような、端子板状部９からクリンプ片１０が立設されたコネクタ接続端子３を用いて、図２（ｂ）に示したように回路導体７の接続点８にコネクタ接続端子３の端子板状部９を重ね、その重なった部分において回路導体７にコネクタ接続端子３のクリンプ片１０を貫通させた後、貫通したコネクタ接続端子３のクリンプ片１０の先端部を曲成して加締めることにより行なう。
【００５３】
そして、ＦＰＣ基板２の回路と外部機器とで信号や電力のやりとりをするためには、コネクタ接続端子３，３´の嵌合部５，５´を図３に示したようなコネクタハウジング４（当該外部機器と電気的に接続されている。）の端子収容室６に挿入してコネクタ接続端子とコネクタハウジングの接続構造を構成することにより行なわれる。
【００５４】
すなわち、図１６（ａ）に示したように、もう１つの接続点８´が折れ角になるようにＦＰＣ基板２を折り曲げて折り曲げ部１１を形成し、もう１つのコネクタ接続端子３´の端子板状部９´を接続点８´に接続する。そして、図１６（ｂ）に示したように、２つのコネクタ接続端子３，３´の嵌合部５，５´のそれぞれを同一方向に向け、図１６（ｃ）に示したように、コネクタハウジング４の端子収容室６に挿入してコネクタ接続端子とコネクタハウジングの接続構造が構成される。
【００５５】
なお以上説明したコネクタ接続端子とコネクタハウジングの接続構造で使用されたコネクタ端子付ＦＰＣ基板１、コネクタ端子付ＦＦＣでは、コネクタ接続端子３が絶縁平面の一列につき２つＦＰＣ基板２に接続されたものであったが、これが３つ以上接続されているものであってもよい。
【図面の簡単な説明】
【００５６】
【図１】本発明の第一の実施の形態に係るコネクタ接続端子とコネクタハウジングの接続構造で使用されるコネクタ付ＦＰＣ基板で、（ａ）は平面図、（ｂ）は（ａ）のＡ−Ａにおける断面図である。
【図２】（ａ）は、コネクタ接続端子の斜視図で、（ｂ）は  コネクタ接続端子の端子板状部をＦＰＣ基板上の接続点に接続した状態を示す斜視図である。
【図３】コネクタハウジングの斜視図である。
【図４】本発明の第一の実施の形態に係るコネクタ接続端子とコネクタハウジングの接続構造で使用されるコネクタ付ＦＰＣ基板のコネクタ接続端子の嵌合部をコネクタハウジングの端子収容室に挿入して接続構造を構成している状態を示す断面図で、（ａ）は挿入前、（ｂ）は挿入後の状態である。
【図５】本発明の第二の実施の形態に係るコネクタ接続端子とコネクタハウジングの接続構造で使用されるコネクタ付ＦＰＣ基板で、（ａ）は平面図、（ｂ）は（ａ）のＡ−Ａにおける断面図である。
【図６】本発明の第二の実施の形態に係るコネクタ接続端子とコネクタハウジングの接続構造で使用されるコネクタ付ＦＰＣ基板のコネクタ接続端子の嵌合部をコネクタハウジングの端子収容室に挿入して接続構造を構成している状態を示す断面図で、（ａ）は挿入前、（ｂ）は挿入後の状態である。
【図７】本発明の第三の実施形態に係るコネクタ接続端子とコネクタハウジングの接続構造で使用されるコネクタ付ＦＰＣ基板で、（ａ）は平面図、（ｂ）は（ａ）のＡ−Ａにおける断面図である。
【図８】本発明の第三の実施形態に係るコネクタ接続端子とコネクタハウジングの接続構造で使用されるコネクタ付ＦＰＣ基板のコネクタ接続端子の嵌合部をコネクタハウジングの端子収容室に挿入して接続構造を構成している状態を示す断面図で、（ａ）は挿入前、（ｂ）は挿入後の状態である。
【図９】本発明の第四の形態に係るコネクタ接続端子とコネクタハウジングの接続構造で使用されるコネクタ付ＦＰＣ基板の平面図で、（ａ）は図５のコネクタ付ＦＰＣ基板を利用したもの、（ｂ）は図７のコネクタ付ＦＰＣ基板を利用したものである。
【図１０】図９（ａ）に示したコネクタ付ＦＰＣ基板のコネクタ接続端子の嵌合部をコネクタハウジングの端子収容室に挿入して接続構造を構成している状態を示す断面図で、（ａ）は挿入前、（ｂ）は挿入後の状態である。
【図１１】図９（ｂ）に示したコネクタ付ＦＰＣ基板のコネクタ接続端子の嵌合部をコネクタハウジングの端子収容室に挿入して接続構造を構成している状態を示す断面図で、（ａ）は挿入前、（ｂ）は挿入後の状態である。
【図１２】本発明の第四の形態に係るコネクタ接続端子とコネクタハウジングの接続構造で使用されるコネクタ付ＦＰＣ基板の変形例の平面図である。
【図１３】第一の形態に係るコネクタ接続端子とコネクタハウジングの接続構造で使用されるコネクタ付ＦＰＣ基板のＦＰＣ基板をＦＦＣに代えてコネクタ付ＦＦＣとしたもので、（ａ）は平面図、（ｂ）は（ａ）のＡ−Ａにおける断面図である。
【図１４】ＦＰＣ基板を示す平面図である。
【図１５】本発明の他の形態に係るコネクタ接続端子とコネクタハウジングの接続構造で使用されるＦＰＣ基板で、（ａ）は平面図、（ｂ）は（ａ）のＡ−Ａにおける断面図である。
【図１６】本発明の他の形態に係るコネクタ接続端子とコネクタハウジングの接続構造で使用されるコネクタ付ＦＰＣ基板のコネクタ接続端子の嵌合部をコネクタハウジングの端子収容室に挿入して接続構造を構成している状態を示す断面図で、（ａ），（ｂ）は挿入前、（ｃ）は挿入後の状態である。
【図１７】コネクタ接続端子がＦＦＣに接続された従来技術に係るコネクタ接続端子とコネクタハウジングの接続構造で使用されるコネクタ付ＦＦＣＣの斜視図である。
【図１８】コネクタ接続端子がＦＦＣに接続された更に他の従来技術に係るコネクタ接続端子とコネクタハウジングの接続構造で使用されるコネクタ付ＦＦＣの斜視図である。
【符号の説明】
【００５７】
１  コネクタ付ＦＰＣ基板
２  ＦＰＣ基板
３  コネクタ接続端子
４  コネクタハウジング
５  嵌合部
６  端子収容室
７  回路導体
８  接続点
９  端子板状部
１０  クリンプ片
１１  折り曲げ部
１２  フラット導体
１３  フラット導体
１４  折り返し部
１５  切り込み部
１６  ＦＦＣ
【図１】
2005158382.tif 000003
【図２】
2005158382.tif 000004
【図３】
2005158382.tif 000005
【図４】
2005158382.tif 000006
【図５】
2005158382.tif 000007
【図６】
2005158382.tif 000008
【図７】
2005158382.tif 000009
【図８】
2005158382.tif 000010
【図９】
2005158382.tif 000011
【図１０】
2005158382.tif 000012
【図１１】
2005158382.tif 000013
【図１２】
2005158382.tif 000014
【図１３】
2005158382.tif 000015
【図１４】
2005158382.tif 000016
【図１５】
2005158382.tif 000017
【図１６】
2005158382.tif 000018
【図１７】
2005158382.tif 000019
【図１８】
2005158382.tif 000020